(57)【要約】【課題】装置が大型化するのを抑制しながら、装置の組み立て後でも半導体装置を冷却するための冷却風の流量を調整することが可能な電力変換装置を提供する。【解決手段】この電力変換装置１００は、複数の半導体装置２０と冷却ファン３０との間に設けられ、冷却ファン３０から送風される冷却風の流量を調整するための板状の風量調整板４０を備え、風量調整板４０は、風量調整板４０を通過する冷却風の流量を調整する複数のネジ孔４０ａを含むとともに、ネジ孔４０ａを塞ぐネジ６０および塞ぎ板７０を取り付け可能に構成されている。【選択図】図１
2018207630.tif 000002
【特許請求の範囲】
【請求項１】
複数の半導体装置と、
前記半導体装置を冷却するための冷却ファンと、
複数の前記半導体装置と前記冷却ファンとの間に設けられ、前記冷却ファンから送風される冷却風の流量を調整するための板状の風量調整部材とを備え、
前記風量調整部材は、前記風量調整部材を通過する冷却風の流量を調整する複数の貫通孔を含むとともに、前記貫通孔を塞ぐ塞ぎ部材を取り付け可能に構成されている、電力変換装置。
【請求項２】
前記塞ぎ部材は、前記貫通孔を用いて前記風量調整部材に取り付け可能に構成されている、請求項１に記載の電力変換装置。
【請求項３】
前記貫通孔は、ネジが螺合可能なネジ孔を含む、請求項１または２に記載の電力変換装置。
【請求項４】
前記塞ぎ部材は、前記ネジ孔に螺合可能なネジを含む、請求項３に記載の電力変換装置。
【請求項５】
前記塞ぎ部材は、前記ネジ孔に前記ネジを螺合させることにより固定されるとともに、前記ネジ孔のうちの一部の複数の前記ネジ孔を塞ぐように形成された板状の塞ぎ部材をさらに含む、請求項４に記載の電力変換装置。
【請求項６】
複数の前記ネジ孔は、前記風量調整部材において略一定の間隔で配置されており、
前記板状の塞ぎ部材には、前記ネジが貫通する複数の取付孔が設けられており、
複数の前記取付孔の間の間隔は、隣接する前記ネジ孔の間の間隔の略整数倍である、請求項５に記載の電力変換装置。
【請求項７】
複数の前記半導体装置は、第１半導体装置と第２半導体装置とを含み、
前記風量調整部材は、前記冷却ファンから前記第１半導体装置に送風される冷却風の流量を調整する第１風量調整部と、前記冷却ファンから前記第２半導体装置に送風される冷却風の流量を調整する第２風量調整部とを含む、請求項１〜６のいずれか１項に記載の電力変換装置。
【請求項８】
前記第１半導体装置と前記第２半導体装置との間に設けられ、前記第１風量調整部を通過した冷却風と前記第２風量調整部を通過した冷却風とを分離させる板状の分離部をさらに備え、
前記第１風量調整部および前記第２風量調整部は、前記分離部の近傍に配置されている、請求項７に記載の電力変換装置。
【発明の詳細な説明】
【技術分野】
【０００１】
この発明は、電力変換装置に関し、特に、冷却ファンによって取り込まれた冷却風の流量を調整可能な電力変換装置に関する。
【背景技術】
【０００２】
従来、冷却ファンによって取り込まれた冷却風の流量を調整可能な電力変換装置が知られている（たとえば、特許文献１参照）。
【０００３】
上記特許文献１には、複数の半導体素子（半導体装置）と、外部から冷却風を取り込むための冷却ファンと、冷却ファンを通過させる風路と、冷却ファンによる冷却風を各々の半導体素子（半導体装置）が配置された方向に分配する板状の整流ガイドとを備えた電力変換装置が開示されている。
【０００４】
ここで、上記特許文献１のような電力変換装置では、電力変換装置の組み立て後に各々の半導体素子（半導体装置）に送風される冷却風の流量を調整したい場合がある。しかしながら、上記特許文献１の電力変換装置では、整流ガイドは風路に固定されているため、組み立て後に流量を変更することはできないという不都合があった。
【０００５】
そこで、この不都合を解消するために、従来では、冷却風の流量を調整する風量調整部として、回転可能に設けられたダンパーを備える構成が知られている。この構成では、ダンパーの角度を変更することにより風量調整部における冷却風の通過面積を変更することが可能になる。その結果、電力変換装置の組み立て後でも、装置内に設けられた複数の半導体装置の各々の放熱量に応じて、半導体装置の各々に送風される冷却風の流量を調整することが可能になる。
【先行技術文献】
【特許文献】
【０００６】
【特許文献１】特開２０１２−２０１１３８号公報
【発明の概要】
【発明が解決しようとする課題】
【０００７】
しかしながら、上記のようなダンパーを備えた電力変換装置の構成では、ダンパーの角度調整のためにダンパーを回転させるスペースが必要となる。このため、装置が大型化してしまうという問題点がある。
【０００８】
この発明は、上記のような課題を解決するためになされたものであり、この発明の１つの目的は、装置が大型化するのを抑制しながら、装置の組み立て後でも半導体装置を冷却するための冷却風の流量を調整することが可能な電力変換装置を提供することである。
【課題を解決するための手段】
【０００９】
上記目的を達成するために、この発明の一の局面による電力変換装置は、複数の半導体装置と、半導体装置を冷却するための冷却ファンと、複数の半導体装置と冷却ファンとの間に設けられ、冷却ファンから送風される冷却風の流量を調整するための板状の風量調整部材とを備え、風量調整部材は、風量調整部材を通過する冷却風の流量を調整する複数の貫通孔を含むとともに、貫通孔を塞ぐ塞ぎ部材を取り付け可能に構成されている。
【００１０】
この発明の一の局面による電力変換装置は、上記のように、板状の風量調整部材は、風量調整部材を通過する冷却風の流量を調整する複数の貫通孔を含むとともに、貫通孔を塞ぐ塞ぎ部材を取り付け可能に構成されている。これにより、所望の流量に応じた数の貫通孔を塞ぎ部材により塞ぐことにより、装置の組み立て後でも風量調整部材を通過する冷却風の流量を容易に調整することができる。また、回転可能なダンパーを設ける場合と異なり、板状の風量調整部材の厚み分および塞ぎ部材が風量調整部材から突出している部分にはその突出分の比較的小さなスペースだけで冷却風の流量を調整することができる。その結果、装置が大型化するのを抑制しながら、装置の組み立て後でも半導体装置を冷却するための冷却風の流量を調整することができる。
【００１１】
上記一の局面による電力変換装置において、好ましくは、塞ぎ部材は、貫通孔を用いて風量調整部材に取り付け可能に構成されている。このように構成すれば、塞ぎ部材を風量調整部材に取り付ける部分と風量を調整する貫通孔とを共通化することができる。その結果、電力変換装置の冷却機構の構成を簡略化することができる。
【００１２】
上記一の局面による電力変換装置において、好ましくは、貫通孔は、ネジが螺合可能なネジ孔を含む。このように構成すれば、ネジをネジ孔に螺合させるだけで、容易に塞ぎ部材を貫通孔に取り付けることができる。
【００１３】
この場合、好ましくは、塞ぎ部材は、ネジ孔に螺合可能なネジを含む。このように構成すれば、ネジ孔に螺合可能なネジ自身によって貫通孔を塞ぐことができるので、塞ぎ部材とネジとを別個に設ける場合と異なり、電力変換装置の冷却機構の構成を簡略化することができる。
【００１４】
上記塞ぎ部材がネジを含む構成において、好ましくは、塞ぎ部材は、ネジ孔にネジを螺合させることにより固定されるとともに、ネジ孔のうちの一部の複数のネジ孔を塞ぐように形成された板状の塞ぎ部材をさらに含む。このように構成すれば、１つの板状の塞ぎ部材により複数のネジ孔を塞ぐことができるので、冷却風の流量を容易に大きく変更することができる。また、ネジ孔を塞ぐ塞ぎ部材が板状であるので、塞ぎ部材が風量調整部から突出する部分の厚みが大きくなるのを抑制することができる。
【００１５】
上記塞ぎ部材が板状の塞ぎ部材をさらに含む構成において、好ましくは、複数のネジ孔は、風量調整部材において略一定の間隔で配置されており、板状の塞ぎ部材には、ネジが貫通する複数の取付孔が設けられており、複数の取付孔の間の間隔は、隣接するネジ孔の間の間隔の略整数倍である。このように構成すれば、板状の塞ぎ部材を風量調整部材の上に配置した場合、複数の取付孔の各々に対応する位置に貫通孔を配置させることができる。その結果、板状の塞ぎ部材の取付孔を介して容易に板状の塞ぎ部材取り付け用のネジをネジ孔に螺合させることができる。
【００１６】
上記一の局面による電力変換装置において、好ましくは、複数の半導体装置は、第１半導体装置と第２半導体装置とを含み、風量調整部材は、冷却ファンから第１半導体装置に送風される冷却風の流量を調整する第１風量調整部と、冷却ファンから第２半導体装置に送風される冷却風の流量を調整する第２風量調整部とを含む。このように構成すれば、第１半導体装置および第２半導体装置に送風される冷却風の流量を、それぞれ、第１風量調整部および第２風量調整部により個別に調整することができる。その結果、第１半導体装置および第２半導体装置に送風される冷却風の流量を適切に調整することができる。
【００１７】
この場合、好ましくは、第１半導体装置と第２半導体装置との間に設けられ、第１風量調整部を通過した冷却風と第２風量調整部を通過した冷却風とを分離させる板状の分離部をさらに備え、第１風量調整部および第２風量調整部は、分離部の近傍に配置されている。このように構成すれば、分離部が第１風量調整部および第２風量調整部の近傍に配置されているので、第１風量調整部および第２風量調整部を通過した冷却風が混ざり合うのを抑制することができる。その結果、第１半導体装置および第２半導体装置に送風される冷却風の流量をより適切に調整することができる。
【発明の効果】
【００１８】
本発明によれば、上記のように、装置が大型化するのを抑制しながら、装置の組み立て後でも半導体装置を冷却するための冷却風の流量を調整することができる。
【図面の簡単な説明】
【００１９】
【図１】本発明の一実施形態による電力変換装置を示した斜視図である。
【図２】本発明の一実施形態による電力変換装置における冷却風の流れを説明するための模式図である。
【図３】本発明の一実施形態による風量調整部材を示した平面図である。
【図４】風量調整部材のネジ孔にネジを取り付けた様子を示した図である。
【図５】本発明の一実施形態による板状の塞ぎ部材の様子を示した図である。
【図６】風量調整部材に板状の塞ぎ部材を取り付けた様子を示した図である。
【発明を実施するための形態】
【００２０】
以下、本発明を具体化した実施形態を図面に基づいて説明する。
【００２１】
まず、図１を参照して、本発明の一実施形態による電力変換装置１００の構成について説明する。
【００２２】
（電力変換装置の構成）
図１に示すように、電力変換装置１００は、フレーム１０と、複数の半導体装置２０と、複数の冷却ファン３０と、風量調整板４０と、分離板５０と、を備えている。電力変換装置１００は、冷却ファン３０により取り込んだ外部の空気（冷却風）の流量を風量調整板４０により調整して半導体装置２０を冷却することが可能に構成されている。なお、風量調整板４０は、特許請求の範囲の「風量調整部材」の一例である。また、分離板５０は、特許請求の範囲の「分離部」の一例である。
【００２３】
フレーム１０は、略直方体形状の外形を有する外枠として構成されており、半導体装置２０と、冷却ファン３０と、風量調整板４０と、分離板５０とが内部に収容されている。
【００２４】
フレーム１０の各々の面には、開口部１１が形成されている。開口部１１は、下面に設けられた開口部１１ａと、上面に設けられた開口部１１ｂと、側面に設けられた開口部１１ｃ、１１ｄ、１１ｅおよび１１ｆとを含む。開口部１１のうち、側面に設けられた開口部１１ｃ、１１ｄ、１１ｅおよび１１ｆは、図示しないカバーによりフレーム１０の外部から覆われている。
【００２５】
開口部１１ａは、フレーム１０の外部からフレーム１０の内部に空気（冷却風）を給気するための給気口として構成されている。また、開口部１１ｂは、半導体装置２０の近傍を通過して暖められた空気を、フレーム１０の外部に排気するための排気口として構成されている。
【００２６】
半導体装置２０は、フレーム１０内の上部に設けられている。半導体装置２０は、内部に半導体素子が設けられた半導体ユニットとして構成された装置である。半導体装置２０は、図１のＡ方向に互いに離間して配置された第１半導体装置２１と、第２半導体装置２２とを含む。第１半導体装置２１および第２半導体装置２２は、図示しない内部フレーム（内枠）に取り付けられている。
【００２７】
冷却ファン３０は、フレーム１０内の下部にＡ方向に並ぶように３つ設けられている。冷却ファン３０は、内部に設けられた図示しない駆動機構（モータ）により駆動するように構成されている。そして、冷却ファン３０を駆動させることにより、フレーム１０の外部の空気（冷却風）を開口部１１ａから取り込むことが可能に構成されている。
【００２８】
風量調整板４０は、半導体装置２０と冷却ファン３０との間に設けられている。風量調整板４０は、金属製で板状に形成されるとともに、表面および裏面が上下方向を向くように配置されている。
【００２９】
本実施形態では、風量調整板４０は、風量調整板４０を通過する冷却風の流量を調整する複数のネジ孔４０ａを含むように構成されている。具体的には、風量調整板４０には、厚み方向に貫通するように規則的な配列で打ち抜き加工（パンチング加工）が施された後に、内部に雌ネジ加工が施された複数のネジ孔４０ａが形成されている。ネジ孔４０ａは、後述するように、ネジ６０（図４参照）を螺合させることにより塞ぐことが可能である。また、ネジ６０をネジ孔４０ａに螺合させることにより、１つの塞ぎ板７０（図５参照）を風量調整板４０に取り付けて、複数のネジ孔４０ａを塞ぐことも可能である。したがって、風量調整板４０は、ネジ６０または塞ぎ板７０の少なくともいずれかを用いて任意の個数のネジ孔４０ａを塞ぐことにより、風量調整板４０を通過する空気の流量を調整することが可能である。なお、ネジ孔４０ａは、特許請求の範囲の「貫通孔」の一例である。また、ネジ６０は、特許請求の範囲の「塞ぎ部材」の一例である。また、塞ぎ板７０は、特許請求の範囲の「塞ぎ部材」および「板状塞ぎ部材」の一例である。
【００３０】
本実施形態では、風量調整板４０は、冷却ファン３０から第１半導体装置２１に送風される冷却風の流量を調整する第１風量調整部４１と、冷却ファン３０から第２半導体装置２２に送風される冷却風の流量を調整する第２風量調整部４２とを含むように構成されている。具体的には、風量調整板４０は、風量調整板４０の第１半導体装置２１側および第２半導体装置２２側にそれぞれ配置されるとともに複数のネジ孔４０ａが形成された、第１風量調整部４１および第２風量調整部４２を含む。第１風量調整部４１および第２風量調整部４２は、それぞれ、第１半導体装置２１および第２半導体装置２２に送風される冷却風の流量を調整するために設けられている。
【００３１】
分離板５０は、第１半導体装置２１と第２半導体装置２２との間に設けられている。分離板５０は、板状に形成されるとともに、板面がＡ方向に向くように配置されている。すなわち、分離板５０は、風量調整板４０に対して垂直に設けられている。
【００３２】
本実施形態では、分離板５０は、第１風量調整部４１および第２風量調整部４２の近傍に配置されている。具体的には、分離板５０は、上端がフレーム１０の開口部１１ｂ近傍に配置され、下端が風量調整板４０に接するように配置されている。これにより、分離板５０は、第１風量調整部４１および第２風量調整部４２を通過した冷却風が、それぞれ、混ざり合うことなく、第１半導体装置２１および第２半導体装置２２に送風することが可能である。
【００３３】
なお、フレーム１０の内部には、上記の構成以外にも、図示しない電子部品および配線等が設けられている。たとえば、電子部品としては、リアクトル、トランス（変圧器）等の素子および半導体装置２０を制御するための制御ユニット等である。これらの電子部品および配線等は、冷却ファン３０と風量調整板４０との間の空間等に設けられている。したがって、これらの電子部品および配線等の配置が、冷却ファン３０により取り込まれた冷却風の流路に影響する場合がある。
【００３４】
（冷却風の流れ）
次に、図２を参照して、電力変換装置１００における冷却風の流れについて説明する。
【００３５】
まず、冷却ファン３０を駆動させることにより、開口部１１ａからフレーム１０の外部の空気（冷却風）が取り込まれる。フレーム１０の内部に取り込まれた冷却風は、風量調整板４０の方向（上方）に流れる。なお、図２では、冷却風の流れを実線矢印で示している。
【００３６】
風量調整板４０に達した冷却風は、ネジ孔４０ａを介して風量調整板４０を通過する。このとき、冷却風は、第１風量調整部４１および第２風量調整部４２のいずれかを通過する。第１風量調整部４１を通過した冷却風は、第１半導体装置２１の近傍を通過して、第１半導体装置２１を冷却する。第２風量調整部４２を通過した冷却風は、第２半導体装置２２の近傍を通過して、第２半導体装置２２を冷却する。
【００３７】
第１半導体装置２１および第２半導体装置２２を冷却した空気は、高温となった排出空気として、開口部１１ｂからフレーム１０の外部へ排気される。なお、図２では、排出空気の流れを鎖線矢印で示している。
【００３８】
（風量調整板の構成）
次に、図３〜図６を参照して、風量調整板４０の構成を詳細に説明する。なお、第１風量調整部４１および第２風量調整部４２には、ネジ孔４０ａが略等しく構成されているので、図３〜図６では、第２風量調整部４２の説明を省略する。
【００３９】
図３に示すように、風量調整板４０は、規則的に配置された複数のネジ孔４０ａを有する。具体的には、風量調整板４０には、Ａ方向に互いに間隔ｄ１で配置されたネジ孔４０ａの一群Ａ１が形成されている。そして、Ｂ方向において間隔ｄ１で複数の一群Ａ１が配置されている。また、風量調整板４０には、ネジ孔４０ａがＡ方向およびＢ方向において一群Ａ１のネジ孔４０ａから間隔ｄ１の半分だけズレた位置に配置されたネジ孔４０ａの一群Ａ２が形成されている。そして、Ｂ方向において間隔ｄ１で複数の一群Ａ２が配置されている。すなわち、風量調整板４０におけるネジ孔４０ａは、Ａ方向およびＢ方向に間隔ｄ１で配置されたネジ孔４０ａを有する複数の一群Ａ１と、Ａ方向およびＢ方向において一群Ａ１と間隔ｄ１の半分だけズレた複数の一群Ａ２とから構成されている。
【００４０】
本実施形態では、風量調整板４０は、ネジ孔４０ａを塞ぐネジ６０を取り付け可能に構成されている。また、本実施形態では、ネジ６０は、ネジ孔４０ａを用いて風量調整板４０に取り付け可能に構成されている。具体的には、風量調整板４０における全てのネジ孔４０ａは、略同一形状かつ略同一サイズに形成されている。また、ネジ孔４０ａは、上下方向から見て円形状に形成されている。ネジ孔４０ａには、ネジ６０を取り付ける（螺合させる）ための雌ネジが形成されている。そして、図４に示すように、ネジ孔４０ａにネジ６０を取り付けた場合、ネジ孔４０ａが塞がれる。なお、図４では、ネジ孔４０ａに対してネジ６０を上方から取り付けた様子を示しているが、電力変換装置１００においては、ネジ孔４０ａに対してネジ６０を下方からも取り付けることが可能に構成されている。なお、ネジ６０は、特許請求の範囲の「塞ぎ部材」の一例である。
【００４１】
また、本実施形態では、風量調整板４０は、ネジ孔４０ａを塞ぐ塞ぎ板７０を取り付け可能に構成されている。また、塞ぎ板７０は、ネジ孔４０ａを用いて風量調整板４０に取り付け（固定）可能に構成されている。具体的には、塞ぎ板７０は、図５に示すように、矩形形状で、ネジ孔４０ａと略同一形状かつ略同一サイズのネジ孔７０ａが形成されている。ネジ孔７０ａは、塞ぎ板７０の四隅近傍に１つずつ配置されている。また、ネジ孔７０ａは、Ａ方向およびＢ方向において、それぞれ、間隔ｄ２で配置されている。そして、本実施形態では、ネジ孔７０ａの間の間隔ｄ２は、風量調整板４０に形成された複数のネジ孔４０ａ同士（隣接するネジ孔４０ａの間）のＡ方向およびＢ方向における間隔ｄ１の略整数倍となるように形成されている。したがって、図６に示すように、ネジ孔７０ａとネジ孔４０ａを貫通するようにネジ６０をネジ止めすることにより、塞ぎ板７０を風量調整板４０に取り付けることが可能である。なお、ネジ孔７０ａは、特許請求の範囲の「取付孔」の一例である。
【００４２】
上記の構成により、本実施形態では、風量調整板４０を通過する冷却風の流量を調整する複数のネジ孔４０ａを塞ぐように、「塞ぎ部材」として、ネジ６０または塞ぎ板７０を取り付けることが可能である。ネジ６０は、複数のネジ孔４０ａのうち、いずれのネジ孔４０ａに取り付けてもよい。すなわち、「塞ぎ部材」としてネジ６０を用いた場合、複数のネジ孔４０ａのうち任意の個数および任意の位置のネジ孔４０ａを塞ぐことが可能である。また、塞ぎ板７０は、複数のネジ孔４０ａを覆う面積を有している。すなわち、塞ぎ板７０を用いた場合、広範囲のネジ孔４０ａを容易に塞ぐことが可能である。また、ネジ６０と塞ぎ板７０とを組み合わせて取り付けることも可能である。したがって、電力変換装置１００では、風量調整板４０を通過する冷却風の流量に応じて、ネジ６０および塞ぎ板７０を取り付ける位置および個数を変更することが可能である。
【００４３】
（本実施形態の効果）
本実施形態では、以下のような効果を得ることができる。
【００４４】
本実施形態では、上記のように、電力変換装置１００は、複数の半導体装置２０と冷却ファン３０との間に設けられ、冷却ファン３０から送風される冷却風の流量を調整するための板状の風量調整板４０を備え、風量調整板４０は、風量調整板４０を通過する冷却風の流量を調整する複数のネジ孔４０ａを含むとともに、ネジ孔４０ａを塞ぐネジ６０および塞ぎ板７０を取り付け可能に構成されている。これにより、所望の流量に応じた数のネジ孔４０ａをネジ６０および塞ぎ板７０により塞ぐことにより、装置の組み立て後でも風量調整板４０を通過する冷却風の流量を容易に調整することができる。また、回転可能なダンパーを設ける場合と異なり、板状の風量調整板４０の厚み分とネジ６０および塞ぎ板７０が風量調整板４０から突出している部分にはその突出分との比較的小さなスペースだけで冷却風の流量を調整することができる。その結果、装置が大型化するのを抑制しながら、装置の組み立て後でも半導体装置２０を冷却するための冷却風の流量を調整することができる。
【００４５】
また、本実施形態では、ネジ６０は、ネジ孔４０ａを用いて風量調整板４０に取り付け可能に構成されている。これにより、ネジ６０を風量調整板４０に取り付ける部分と風量を調整するネジ孔４０ａとを共通化することができる。その結果、電力変換装置１００の冷却機構の構成を簡略化することができる。
【００４６】
また、本実施形態では、ネジ孔４０ａは、ネジ６０が螺合可能である。これにより、ネジ６０をネジ孔４０ａに螺合させるだけで、容易にネジ６０をネジ孔４０ａに取り付けることができる。また、ネジ孔４０ａに螺合可能なネジ６０自身によってネジ孔４０ａを塞ぐことができるので、ネジ孔４０ａを塞ぐための部材とネジ６０とを別個に設ける場合と異なり、電力変換装置１００の冷却機構の構成を簡略化することができる。
【００４７】
また、本実施形態では、塞ぎ板７０は、ネジ孔４０ａにネジ６０を螺合させることにより固定されるとともに、ネジ孔４０ａのうちの一部の複数のネジ孔４０ａを塞ぐように形成されている。これにより、１つの塞ぎ板７０により複数のネジ孔４０ａを塞ぐことができるので、冷却風の流量を容易に大きく変更することができる。また、ネジ孔４０ａを塞ぐ塞ぎ板７０が板状であるので、塞ぎ板７０が風量調整板４０から突出する部分の厚みが大きくなるのを抑制することができる。
【００４８】
また、本実施形態では、複数のネジ孔４０ａは、風量調整板４０において略一定の間隔ｄ１で配置されており、塞ぎ板７０には、ネジ６０が貫通する複数のネジ孔７０ａが設けられており、複数のネジ孔７０ａの間の間隔ｄ２は、隣接するネジ孔４０ａの間の間隔ｄ１の略整数倍である。これにより、塞ぎ板７０を風量調整板４０の上に配置した場合、複数のネジ孔７０ａの各々に対応する位置にネジ孔４０ａを配置させることができる。その結果、塞ぎ板７０のネジ孔７０ａを介して容易に塞ぎ板７０取り付け用のネジ６０をネジ孔４０ａに螺合させることができる。
【００４９】
また、本実施形態では、複数の半導体装置２０は、第１半導体装置２１と第２半導体装置２２とを含み、風量調整板４０は、冷却ファン３０から第１半導体装置２１に送風される冷却風の流量を調整する第１風量調整部４１と、冷却ファン３０から第２半導体装置２２に送風される冷却風の流量を調整する第２風量調整部４２とを含む。これにより、第１半導体装置２１および第２半導体装置２２に送風される冷却風の流量を、それぞれ、第１風量調整部４１および第２風量調整部４２により個別に調整することができる。その結果、第１半導体装置２１および第２半導体装置２２に送風される冷却風の流量を適切に調整することができる。
【００５０】
また、本実施形態では、第１半導体装置２１と第２半導体装置２２との間に設けられ、第１風量調整部４１を通過した冷却風と第２風量調整部４２を通過した冷却風とを分離させる板状の分離板５０をさらに備え、第１風量調整部４１および第２風量調整部４２は、分離板５０の近傍に配置されている。これにより、分離板５０が第１風量調整部４１および第２風量調整部４２の近傍に配置されているので、第１風量調整部４１および第２風量調整部４２を通過した冷却風が混ざり合うのを抑制することができる。その結果、第１半導体装置２１および第２半導体装置２２に送風される冷却風の流量をより適切に調整することができる。
【００５１】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５２】
たとえば、上記実施形態では、複数のネジ孔４０ａを、風量調整板４０に規則的に配置させた例を示したが、本発明はこれに限られない。本発明では、複数のネジ孔４０ａを、風量調整板４０に不規則に配置させてもよい。また、複数のネジ孔４０ａのうち一部のネジ孔４０ａを規則的に配置させ、残りのネジ孔４０ａを不規則に配置してもよい。
【００５３】
また、上記実施形態では、風量調整板４０における全てのネジ孔４０ａを、略同一形状かつ略同一サイズに形成させた例を示したが、本発明はこれに限られない。本発明では、異なる形状およびサイズのネジ孔４０ａを風量調整板４０に形成してもよい。
【００５４】
また、上記実施形態では、ネジ６０を、複数のネジ孔４０ａのうち、いずれのネジ孔４０ａにも取り付けることが可能な例を示したが、本発明はこれに限られない。本発明では、ネジ６０を、複数のネジ孔４０ａのうちの一部のネジ孔４０ａのみに取り付け可能にしてもよい。
【００５５】
また、上記実施形態では、ネジ孔４０ａを、風量調整板４０において、Ａ方向に互いに間隔ｄ１で配置させた一群Ａ１または一群Ａ２を有する例を示したが、本発明はこれに限られない。本発明では、一群Ａ１または一群Ａ２におけるネジ孔４０ａを、Ａ方向に異なる間隔で配置させる部分を含むようにしてもよい。
【００５６】
また、上記実施形態では、風量調整板４０において、ネジ孔４０ａを、Ａ方向およびＢ方向に間隔ｄ１で配置されたネジ孔４０ａを有する複数の一群Ａ１と、Ａ方向およびＢ方向において一群Ａ１と間隔ｄ１の半分だけズレた複数の一群Ａ２とから構成させた例を示したが、本発明はこれに限られない。本発明では、ネジ孔４０ａの位置を、一群Ａ１と一群Ａ２とを、Ａ方向とＢ方向とで異なる間隔だけズレるように配置してもよい。
【００５７】
また、上記実施形態では、ネジ孔４０ａを、Ａ方向およびＢ方向に間隔ｄ１で配置されたネジ孔４０ａを有する複数の一群Ａ１と、Ａ方向およびＢ方向において一群Ａ１と間隔ｄ１の半分だけズレた複数の一群Ａ２とから構成させた例を示したが、本発明はこれに限られない。本発明では、ネジ孔４０ａを、複数の一群Ａ１または複数の一群Ａ２のいずれかだけで構成してもよい。
【００５８】
また、上記実施形態では、風量調整板４０には、厚み方向に貫通する複数のネジ孔４０ａが形成され、ネジ孔４０ａにネジ６０を螺合することが可能な例を示したが、本発明はこれに限られない。本発明では、雌ネジが形成されていない単なる孔（バカ孔）に、たとえば、ゴム製のブッシングを取り付けて孔を塞ぐようにしてもよい。すなわち、特許請求の範囲における「貫通孔」および「（貫通孔の一つずつを塞ぐことが可能な）塞ぎ部材」を、それぞれ、ネジ孔４０ａおよびネジ６０以外の組み合わせとしてもよい。なお、この場合、貫通孔は、円形状以外の多角形状に形成してもよいし、円形状と多角形状とを組み合わせた形状に形成してもよい。
【００５９】
また、上記実施形態では、半導体装置２０を、Ａ方向に互いに離間して配置された第１半導体装置２１および第２半導体装置２２の２つだけ設けた例を示したが、本発明はこれに限られない。本発明では、半導体装置２０の個数は、３つ以上であってもよい。この場合、各々の半導体装置２０を冷却するために冷却風を調整可能なように各々の半導体装置２０に対応する風量調整部を設けることが好ましい。すなわち、３つの半導体装置２０を設ける場合、少なくとも３つの風量調整部を設けることが好ましい。
【００６０】
また、上記実施形態では、第１風量調整部４１および第２風量調整部４２を、略等しく構成させた例を示したが、本発明はこれに限られない。本発明では、第１風量調整部４１および第２風量調整部４２を、第１半導体装置２１および第２半導体装置２２の大きさに対応させるように異ならせてもよい。
【００６１】
また、上記実施形態では、冷却ファン３０を、フレーム１０内の下部にＡ方向に並ぶように３つ設けた例を示したが、本発明はこれに限られない。本発明では、冷却ファン３０を、Ｂ方向に並ぶようにしてもよいし、３つ以外の個数も設けてもよい。
【００６２】
また、上記実施形態では、塞ぎ板７０のネジ孔７０ａを、塞ぎ板７０の四隅近傍に１つずつ（４つ）配置させた例を示したが、本発明はこれに限られない。本発明では、ネジ孔７０ａを、四隅近傍以外に設けてもよいし、４つ以外の個数を設けてもよい。
【００６３】
また、上記実施形態では、フレーム１０の内部において、下部および上部にそれぞれ冷却ファン３０および半導体装置を設けるとともに、冷却風の流れを、フレーム１０の下面に形成された開口部１１ａからフレーム１０の上面に形成された開口部１１ｂに向かうように構成した例を示したが、本発明はこれに限られない。本発明では、フレーム１０の外部から空気を取り込む開口部（給気口）と、冷却ファン３０と、半導体装置２０、および、半導体装置を冷却して高温となった空気をフレーム１０の外部に排気する開口部（排気口）の配置に応じて、冷却風を、いずれかの方向に流れるようにしてもよい。
【符号の説明】
【００６４】
２０  半導体装置
２１  第１半導体装置
２２  第２半導体装置
３０  冷却ファン
４０  風量調整板（風量調整部材）
４０ａ  ネジ孔（貫通孔）
４１  第１風量調整部
４２  第２風量調整部
５０  分離板（分離部）
６０  ネジ（塞ぎ部材）
７０  塞ぎ板（板状の塞ぎ部材・塞ぎ部材）
７０ａ  ネジ孔（取付孔）
１００  電力変換装置
ｄ１  （ネジ孔の間の）間隔
ｄ２  （取付孔の間の）間隔
【図１】
2018207630.tif 000003
【図２】
2018207630.tif 000004
【図３】
2018207630.tif 000005
【図４】
2018207630.tif 000006
【図５】
2018207630.tif 000007
【図６】
2018207630.tif 000008